(57)【要約】【課題】前面パネルと後面パネルとのフレームへの組立間違いの防止を図る。【解決手段】前面パネル３１が窓１２の側に配置されかつ窓１２を塞ぐ大きさの円板状で無色の強化ガラスまたは合わせガラスで構成され、後面パネル３２が前面パネル３１の後側に配置されかつ前面パネル３１よりも大形なアーチ板状で無色のソーダガラスで構成され、前面パネル３１がフレーム３３の前面パネル収容部に挿入されて接着剤で結合されてフレーム３３に取り付けられる場合と、後面パネル３２がフレーム３３の後面パネル収容部に挿入されて接着剤で結合されてフレーム３３に取り付けられる場合とにおいて、前面パネル３１がフレーム３３の後側に取り付けられ、後面パネル３２がフレーム３３の前側に取り付けられるというように、前面パネル３１および後面パネル３２のフレーム３３への組立間違いは発生しない。【選択図】図１
2007029390.tif 000002
【特許請求の範囲】
【請求項１】
遊技機枠の前扉が前後方向に貫通する窓と窓を裏側から塞ぐパネル構造体とを備え、パネル構造体が前面パネルと後面パネルとが前後方向に離れて相対峙するようにフレームで支持された構造であって、前面パネルと後面パネルとが異なる大きさの板状に形成されたことを特徴とする遊技機枠のパネル構造体。
【請求項２】
前面パネルおよび後面パネルのうちで小形な板状に形成された方が強化ガラスまたは合わせガラスにより形成されたことを特徴とする請求項１記載の遊技機枠のパネル構造体。
【発明の詳細な説明】
【技術分野】
【０００１】
本発明は、前面パネルと後面パネルとのフレームへの組立間違いが防止できる遊技機枠のパネル構造体に関する。
【背景技術】
【０００２】
遊技機枠のパネル構造体は、ガラス製の前面パネルとガラス製の後面パネルとがフレームで前後方向に相対峙するように支持された構造であって、遊技機枠の前扉に設けられた窓を覆い隠すように、前扉の裏面に開閉可能に取り付けられている。しかしながら、前面パネルまたは後面パネルが割られることがないように、前面パネルまたは後面パネルを合わせガラスまたは強化ガラスで構成しているが、前面パネルおよび後面パネルが同じ形状で同じ大きさに形成された構造であるため、前面パネルおよび後面パネルがフレームに接着剤で取り付けられる場合、前面パネルがフレームの後側に取り付けられ、後面パネルがフレームの前側に取り付けられるというように、前面パネルおよび後面パネルの組立間違いが発生するという欠点がある。
【特許文献１】特許第２９２５０５３号公報
【特許文献２】特開２００３−１２６４７３号公報
【発明の開示】
【発明が解決しようとする課題】
【０００３】
発明が解決しようとする問題点は、前面パネルおよび後面パネルの組立間違いが発生するという点である。
【課題を解決するための手段】
【０００４】
本発明に係る遊技機枠のパネル構造体は、遊技機枠の前扉が前後方向に貫通する窓と窓を裏側から塞ぐパネル構造体とを備え、パネル構造体が前面パネルと後面パネルとが前後方向に離れて相対峙するようにフレームで支持された構造であって、前面パネルと後面パネルとが異なる大きさの板状に形成されたことを最も主要な特徴とする。前面パネルおよび後面パネルのうちで小形な板状に形成された方が強化ガラスまたは合わせガラスにより形成されたりしてもよい。
【発明の効果】
【０００５】
本発明に係る遊技機枠のパネル構造体は、前面パネルと後面パネルとが異なる大きさの板状に形成されているので、前面パネルがフレームの後側に取り付けられ、後面パネルがフレームの前側に取り付けられるというように、前面パネルおよび後面パネルの組立間違いが発生することはないという利点がある。前面パネルおよび後面パネルのうちで小形な板状に形成された方が強化ガラスまたは合わせガラスにより形成されれば、小形な板状に形成されたガラスの入手が容易であるという利点がある。
【発明を実施するための最良の形態】
【０００６】
図１乃至図４は、発明を実施するための最良の形態である。図１は、遊技機枠１を示す。図２は、パネル構造体１４を分解して前側から示す。図２では、前面パネル３１および後面パネル３２に対しフレーム３３を拡大して図示してある。図３は、後面パネル３２の分解されたパネル構造体１４を裏側から示す。図３は、後面パネル３２に対しフレーム３３を拡大して図示してある。図４は、組み立てられたパネル構造体１４を図２のＡ−Ａ線に相当する線に沿い切断した断面を示す。本明細書において、「前」、「後」、「裏」、「左」、「右」、「上」、「下」の方向は、図１の状態に遊技機枠１を置いて矢印Ｓで示す前側から見た場合に特定される方向である。「後」と「裏」とは同じ方向である。
【０００７】
図１を参照し、遊技機枠１としてパチンコ遊技機の遊技機枠１を例として説明する。図１に示すように、遊技機枠１は、固定枠２の前側に可動枠３を開閉可能に備え、可動枠３の前側に前扉４および皿構造体５を開閉可能に備える。可動枠３は、遊技盤や制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および皿構造体５は、個別に、左側に位置するヒンジ７を中心とし、可動枠３の前側で前側に開かれかつ後側に閉じられるように、片開き可能である。可動枠３の右側部には、施錠装置８とロック機構９；１０；１１が設けられる。前扉４は、パネル枠とも呼ばれ、前後方向に貫通する窓１２を備える。前扉４の裏面には、パネル構造体１４が開閉可能に設けられる。パネル構造体１４は、左側に位置するヒンジ１５を中心とし、前扉４の裏側で裏側に開かれかつ前側に閉じられるように、片開き可能である。パネル構造体１４では、前面パネル３１と後面パネル３２とがフレーム３３で前後方向に相対峙するように支持され、前面パネル３１と後面パネル３２が異なる大きさの板状に形成された構造である。皿構造体５の前面には、受皿部２０、発射操作機構２１が設けられる。パネル構造体１４の構造は、図２乃至図４で後述する。
【０００８】
そして、可動枠３が閉じられて固定枠２にロック機構９で開閉不能に支持され、前扉４および皿構造体５が閉じられて可動枠３にロック機構１０；１１で開閉不能に支持された状態において、遊技店の店員が図外のキープレート（鍵）を遊技機枠１の前側から施錠装置８の鍵穴に挿入し、当該キープレートを例えば右側に９０度回転操作すると、固定枠２と可動枠３とのロック機構９による支持形態が解除される。この支持形態の解除後に、店員が可動枠３を前側に引くことによって、可動枠３はヒンジ６を中心として前側に片開きされる。また、上記施錠装置８の鍵穴に挿入されたキープレートが例えば左側に９０度回転操作されると、可動枠３と前扉４とのロック機構１０による支持形態が解除される。この支持形態の解除後に、店員が前扉４を前側に引くことによって、前扉４はヒンジ７を中心として前側に片開きされる。このように、前扉４が前側に開かれた状態において、パネル構造体１４が前扉４の側に閉じられ、店員がロック機構１６を操作してパネル構造体１４のロック受止部５４に係合すると、パネル構造体１４が前扉４にロック機構１６で開閉不能に支持され、パネル構造体１４の前面パネル３１の前面が前扉４における窓１２の周縁と接触し、図１のａ図に示すように、パネル構造体１４が窓１２を裏側から塞ぐ。
【０００９】
その状態において、店員がロック機構１６を操作し、ロック機構１６とロック受止部５４との係合が解除され、店員がパネル構造体１４を後側に引くことによって、図１のｂ図に示すように、パネル構造体１４がヒンジ１５を中心として前扉４から後側に片開きされる。また、前扉４が前側に開かれ、パネル構造体１４が前扉４に開閉不能に支持された状態において、図外の遊技盤が可動枠３の前側から可動枠３の内部に装着される。そして、前扉４が閉じられて可動枠３に図外のロック機構１０で開閉不能に支持されることによって、遊技盤の前面における遊技領域が遊技機枠１の窓１２およびパネル構造体１４を通して見える形態となる。その後、店員がキープレートを施錠装置８の鍵穴から前側に抜き取る。可動枠３の閉じられた皿構造体５で覆い隠される前面には、発射機構２２が設けられる。
【００１０】
図２を参照し、パネル構造体１４の前側からの内部構造について説明する。パネル構造体１４は、前面パネル３１、後面パネル３２、フレーム３３を備える。前面パネル３１は、図１の窓１２の側に配置されかつ窓１２を塞ぐ大きさの円板状で、無色の強化ガラスで構成される。後面パネル３２は、前面パネル３１の後側に配置されかつ前面パネル３１よりも大形なアーチ板状で、無色のソーダガラスで構成される。アーチ板状は、方形の上に半円形が配置されるように、方形と半円形とが連接した形状の板状である。フレーム３３は、合成樹脂、アルミニウム合金またはマグネシウム合金などの軽金属により、フレーム基盤３４、透視開口部３５、前面パネル収容部３６、乾燥剤収容部３７などを一体に備えた形状に形成される。フレーム基盤３４は、後面パネル３２よりも大形な外形の板状である。透視開口部３５は、図１の前扉４の窓１２よりもひとまわり大きな相似形で、前後方向への貫通孔として、フレーム基盤３４に設けられる。
【００１１】
前面パネル収容部３６は、透視開口部３５を縁取るように囲み、フレーム基盤３４の前面と透視開口部３５とに開口し、フレーム基盤３４の前面から内部への窪みとして、フレーム基盤３４に設けられる。前面パネル収容部３６の外周は、前面パネル３１が前面パネル収容部３６に取り込まれるように前面パネル３１の外周と同じ大きさであるが、前面パネル収容部３６の外周と前面パネル３１の外周との間に接着剤６１（図４参照）が介在させられる場合は、前面パネル収容部３６の外周は、前面パネル３１の外周よりも接着剤６１の厚さだけ小さい。前面パネル収容部３６におけるフレーム基盤３４の前面から内部に窪む寸法は、前面パネル３１の前後方向の寸法である厚さと同じである。前面パネル３１がフレーム３３の前側から透視開口部３５の前側を塞ぐようにフレーム３３に装着されることによって、前面パネル３１の周縁部が前面パネル収容部３６に嵌め込まれて接着剤６１で固定される。
【００１２】
乾燥剤収容部３７は、フレーム基盤３４の上面に開口し、フレーム基盤３４の上部から内部への窪みとして、フレーム基盤３４の上部に設けられる。乾燥剤収容部３７には、乾燥剤３９がフレーム基盤３４の上部から収納された後、蓋４０が乾燥剤収容部３７の周りのフレーム基盤３４に図外の接着剤で固定されて乾燥剤収容部３７の上面の開口を閉鎖する。フレーム３３の左側部には、ヒンジブラケット５２が、フレーム３３の左側部から左側に突出しかつ上下に分かれて設けられる。ヒンジブラケット５２には、ヒンジピン５３が、ヒンジブラケット５２から下方に突出して個別に設けられる。フレーム３３の右側部には、ロック受止部５４が、フレーム３３の右側部から右側に突出しかつ上下に分かれて設けられる。
【００１３】
図３を参照し、パネル構造体１４の裏側からの内部構造について説明する。フレーム３３には、フレーム周壁５５、後面パネル収容部５６、後面ガラス支持体５９、リブ６０が設けられる。フレーム周壁５５は、フレーム基盤３４を囲むように、フレーム基盤３４の周縁部から裏側に突出する。後面パネル収容部５６は、フレーム基盤３４を縁取るように囲み、フレーム周壁５５の後面と内面とに開口し、フレーム周壁５５の後面から内部への窪みとして、フレーム周壁５５に設けられる。後面パネル収容部５６の外周は、後面パネル３２が後面パネル収容部５６に取り込まれるように後面パネル３２の外周と同じ大きさであるが、後面パネル収容部５６の外周と後面パネル３２の外周との間に接着剤６２（図４参照）が介在させられる場合は、後面パネル収容部５６の外周は、後面パネル３２の外周よりも接着剤６２の厚さだけ小さい。後面パネル収容部５６のフレーム周壁５５の後面から内部に窪む寸法は、後面パネル３２の前後方向の寸法である厚さと同じである。後面パネル３２がフレーム３３の裏側から透視開口部３５の裏側およびフレーム基盤３４の裏側を塞ぐようにフレーム３３に装着されることによって、後面パネル３２の周縁部が後面パネル収容部５６に嵌め込まれて接着剤６２で固定される。
【００１４】
後面ガラス支持体５９は、透視開口部３５の周縁部５８に、周縁部５８の周方向に離れて複数設けられ、透視開口部３５の周縁部５８から裏側に突出した棒状である。リブ６０は、フレーム基盤３４の裏面において、透視開口部３５の周縁部５８、フレーム周壁５５の左側部、フレーム周壁５５の下側部、フレーム周壁５５の右側部などで囲まれた部分から裏側に縦横の格子状に突出した突条である。
【００１５】
図４を参照し、パネル構造体１４における乾燥剤収容部３７の内部構造について説明する。乾燥剤収容部３７には、透視開口部３５と乾燥剤収容部３７とを繋ぐ貫通孔６３が設けられる。前面パネル３１が前面パネル収容部３６に収容されて接着剤６１でフレーム３３に取り付けられ、後面パネル３２が後面パネル収容部５６に収容されて接着剤６２でフレーム３３に取り付けられた場合、前面パネル３１の前面と後面パネル３２の前面とが互いに向き合って離れる。後面パネル３２の前面は、透視開口部３５の周縁部５８、フレーム基盤３４のそれぞれから後側に離れる。前面パネル３１と後面パネル３２との間における空間、後面パネル３２と透視開口部３５の周縁部５８との間における空間、後面パネル３２とフレーム基盤３４との間における空間は、前面パネル３１と後面パネル３２とフレーム３３とからなる閉鎖空間を構成し、この閉鎖空間が乾燥剤３９で乾燥される。
【００１６】
このように構成されたパネル構造体１４が、図１に示す前扉４の裏面に取り付けられ、ヒンジ１５を中心として前側である前扉４の側に閉じられ、ロック機構１６が人によって操作されてパネル構造体１４のロック受止部の裏面に係合し、パネル構造体１４が前扉４の裏面に開閉不能に支持されると、パネル構造体１４が窓１２を裏側から塞ぎ、ヒンジ１５は、パネル構造体１４の図３に示すヒンジピン５３が図１の前扉４の裏面に設けられた図外のヒンジ孔に上方から嵌め込まれることで、構成される。
【００１７】
最良の形態は、図２に示すように前面パネル３１と後面パネル３２との形状が異なる構成であるので、図４に示すように前面パネル３１を前面パネル収容部３６に挿入して接着剤６１で結合してフレーム３３に取り付ける場合と、図４に示すように後面パネル３２を後面パネル収容部５６に挿入して接着剤６２で結合してフレーム３３に取り付ける場合とにおいて、前面パネル３１がフレーム３３の後側に取り付けられ、後面パネル３２がフレーム３３の前側に取り付けられるというように、前面パネル３１および後面パネル３２のフレーム３３への組立間違いは発生しないという利点がある。その理由は、前面パネル３１と後面パネル３２との形状が異なるので、作業者が前面パネル３１を後面パネル収容部５６に挿入しようとした場合に前面パネル３１と後面パネル収容部５６との形状の違いに気がつき、業者が後面パネル３２を前面パネル収容部３６に挿入しようとした場合に後面パネル３２と前面パネル収容部３６との形状の違いに気がつくからである。
【００１８】
強化ガラス製の前面パネル３１がソーダガラス製の後面パネル３２よりも小形な板状に形成されているというように、前面パネル３１および後面パネル３２のうちで小形な板状に形成された前面パネル３１が強化ガラスにより形成されているので、前面パネル３１または後面パネル３２が割られることがないようにするガラスとして、特殊なものを使用することなく、汎用されている強化ガラスを使用しているので、ガラスの入手が容易であるという利点がある。
【産業上の利用可能性】
【００１９】
小形な板状に形成された前面パネル３１を合わせガラスにより形成してもよい。前面パネル３１は、窓１２を塞ぐ大きさであれば円板状以外の形状の板状であってもよい。後面パネル３２は、前面パネル３１よりも大形な板状であれば、図２に示すアーチ板状以外の形状の板状であってもよい。前面パネル３１をソーダガラスで構成し、後面パネル３２を強化ガラスで構成してもよい。前面パネル３１または後面パネル３２を、強化ガラスに代えて、合わせガラスで構成してもよい。前面パネル３１をソーダガラスで構成し、後面パネル３２を強化ガラスまたは合わせガラスで構成するというように、前面パネル３１が後面パネル３２よりも安価に製作できる構造であれば、前面パネル３１が後面パネル３２よりも小形な板状であってもよい。合わせガラスは、２枚のガラスの間に無色な合成樹脂からなる薄膜状の支持体を介在させ、２枚のガラスと支持体とを互いに接着剤で結合したことによって、２枚のガラスが支持体を介して接着剤で一体に結合された構造である。遊技機枠１は、遊技盤に代わるドラムタイプまたはリールタイプの回胴式図柄表示器を可動枠３に取り付けた、球式のスロットマシンの遊技機枠１としても使用できる。遊技機枠１としては、前側にだけ開口した箱形の筐体の前側に前扉を開閉可能に設けた、メダルを遊技媒体として使用する回胴式図柄表示器の遊技機枠であっても同様に適用できる。回胴式図柄表示器の遊技機枠の場合、前側にだけ開口した箱形の筐体が図１の固定枠２に相当し、前扉が図１の前扉４に相当し、図１の可動枠３がない構造である。
【図面の簡単な説明】
【００２０】
【図１】遊技機枠の斜視図（最良の形態）。
【図２】パネル構造体の前側からの分解斜視図（最良の形態）。
【図３】後面パネルを分解したパネル構造体の裏側からの斜視図（最良の形態）。
【図４】パネル構造体の縦断面図（最良の形態）。
【符号の説明】
【００２１】
１    遊技機枠
４    前扉
１２  窓
１４  パネル構造体
３１  前面パネル
３２  後面パネル
３３  フレーム
【図１】
2007029390.tif 000003
【図２】
2007029390.tif 000004
【図３】
2007029390.tif 000005
【図４】
2007029390.tif 000006